(57)【特許請求の範囲】
【請求項１】
マルチメディア放送サービス（ＭＢＭＳ）を提供する方法であって、該方法は、
複数の無線通信セルを１つまたは複数の隣接するセルからなる複数の組に編成するステップと、
マルチフレーム割り当てを使用するか否かを決定するステップと、
マルチフレーム割り当てを使用しないと決定された条件で、各セルの組ごとに異なる組合せのタイムスロットを提供し、前記セルの組ごとの各フレーム内においては同じ組み合わせのタイムスロットを提供するステップと、
を含むことを特徴とする方法。
【請求項２】
マルチメディア放送サービス（ＭＢＭＳ）を提供するように構成された無線通信装置であって、
複数の無線通信セルを１つまたは複数の隣接するセルからなる複数の組に編成し、
マルチフレーム割り当てを使用するか否かを決定し、かつ
マルチフレーム割り当てを使用しないと決定された条件で、各セルの組ごとに異なる組合せのタイムスロットを提供し、前記セルの組ごとの各フレーム内においては同じ組み合わせのタイムスロットを提供するように適合されていることを特徴とする無線通信装置。
【請求項３】
マルチメディア放送サービス（ＭＢＭＳ）を提供する方法であって、該方法は、
各セルセットが少なくとも１つのセルを有する複数のセルセットの中に複数の無線セルを編成するステップと、
マルチフレーム割り当てを使用するか否かを決定するステップと、
マルチフレーム割り当てを使用すると決定した条件で、全てのセルに対して繰り返し周期を設定し、かつセルの各セットの各繰り返し周期当たりのマルチメディア放送サービス（ＭＢＭＳ）通信に使用されるフレームのサブセットを設定するステップと
を含むことを特徴とする方法。
【請求項４】
各セル内の割り当てられたリソースユニットをマルチメディア放送サービス（ＭＢＭＳ）伝送に割り当てるステップをさらに含むステップをさらに含むことを特徴とする請求項３に記載の方法。
【請求項５】
マルチメディア放送サービス（ＭＢＭＳ）通信に割り当てられた前記リソースユニットをどのようにアクセスするかを指示する情報を提供するステップをさらに含むことを特徴とする請求項４に記載の方法。
【請求項６】
現在のマルチメディア放送サービス（ＭＢＭＳ）要件が、予め確立されたマルチメディア放送サービス（ＭＢＭＳ）要件に関して十分に満たされているかどうかを判定するステップをさらに含むことを特徴とする請求項５に記載の方法。
【請求項７】
タイムスロットの組み合わせが再利用されることを特徴とする請求項３に記載の方法。
【請求項８】
タイムスロットの組み合わせの再利用がタイムススロットの繰り返し周期に基づいていることを特徴とする請求項７に記載の方法。
【請求項９】
タイムドメイン再利用係数３が用いられることを特徴とする請求項８に記載の方法。
【請求項１０】
マルチメディア放送サービス（ＭＢＭＳ）を提供するように構成された無線通信装置であって、該装置は、
各セルセットが少なくとも１つのセットを有する複数のセルセットの中に複数の無線セルを編成し、
マルチフレーム割り当てを使用するか否かを決定し、
マルチフレーム割り当てを使用すると決定した条件で、全てのセルに対して繰り返し周期を設定し、かつセルの各セットの各繰り返し周期当たりのマルチメディア放送サービス（ＭＢＭＳ）通信に使用されるフレームのサブセットを設定する
ように構成されていることを特徴とする無線通信装置。
【請求項１１】
各セル内の割り当てられたリソースユニットをマルチメディア放送サービス（ＭＢＭＳ）伝送に割り当てるように、さらに構成されていることを特徴とする請求項１０に記載の無線通信装置。
【請求項１２】
マルチメディア放送サービス（ＭＢＭＳ）送信に割り当てられた前記リソースユニットをどのようにアクセスするかを指示する情報を提供するように、さらに構成されていることを特徴とする請求項１１に記載の無線通信装置。
【請求項１３】
現在のマルチメディア放送サービス（ＭＢＭＳ）要件が、予め確立されたマルチメディア放送サービス（ＭＢＭＳ）要件に関して十分に満たされているかどうかを決定するステップをさらに含むことを特徴とする請求項１２に記載の無線通信装置。
【請求項１４】
タイムスロットの組み合わせが再利用されることを特徴とする請求項１０に記載の無線通信装置。
【請求項１５】
タイムスロットの組み合わせの再利用がタイムススロットの繰り返し周期に基づいていることを特徴とする請求項１４に記載の無線通信装置。
【請求項１６】
タイムドメイン再利用係数３が用いられることを特徴とする請求項１５に記載の無線通信装置。
【発明の詳細な説明】
【技術分野】
【０００１】
本発明は、一般に無線通信に関する。より詳細には、本発明は、時分割双方向（ＴＤＤ）、周波数分割双方向（ＦＤＤ）、符号分割多重アクセス方式（ＣＤＭＡ）、および／またはユニバーサル移動電話システム（ＵＭＴＳ）などの、無線通信システムにおいて、少なくとも１つまたは複数のマルチメディア放送サービス（ＭＢＭＳ；マルチメディア同報・放送型通信サービスとも称されている）を提供することを対象としている。
【背景技術】
【０００２】
第３世代パートナーシッププロジェクト（ｔｈｉｒｄ  ｇｅｎｅｒａｔｉｏｎ  ｐａｒｔｎｅｒｓｈｉｐ  ｐｒｏｊｅｃｔ：３ＧＰＰ）広帯域ＣＤＭＡ（Ｗ−ＣＤＭＡ）システムは、ＵＭＴＳリリースＲ９９／Ｒ４およびＲ５の運用シナリオで概説される。このシステムは、ＴＤＤモードおよびＦＤＤモードを使用し、複数の共通チャネルおよび専用チャネルを利用して通信リンクを確立する。ダウンリンク（ＤＬ）共通チャネルは、ＢＣＨ（ブ放送チャネル）を含む少なくとも１つのプライマリ共通制御物理チャネル（Ｐ−ＣＣＰＣＨ）、および／または下りアクセスチャネル（ＦＡＣＨ）を含む少なくとも１つのセカンダリ共通制御物理チャネル（Ｓ−ＣＣＰＣＨ）を含む。
【０００３】
通信リンクは、一般に無線送信／受信ユニット（ＷＴＲＵ）を使用して確立される。ＷＴＲＵは、それだけには限定されないが、ユーザ装置、移動局、固定式または移動式の受信契約者のユニット、ページャ、または無線環境で動作することができる他の任意のタイプの装置を含む。こうした典型的なタイプの無線環境は、それだけには限定されないが、無線ＬＡＮおよび公衆地上移動通信ネットワーク（ｐｕｂｌｉｃ  ｌａｎｄ  ｍｏｂｉｌｅ  ｎｅｔｗｏｒｋ）を含む。本明細書に記載したＷＴＲＵは、それぞれＴＤＤおよびＦＤＤなどのタイムスロットモードまたは周波数分割モードで動作することができる。「基地局」は、それだけには限定されないが、ノードＢ、サイトコントローラ、アクセスポイント、または無線環境における他のインターフェイス装置を含む。
【０００４】
マルチセル無線通信システムのセル端でのリンクパフォーマンス（性能）は、特に共通チャネルの場合、長い間問題であったことが知られている。リンク分析は、セル端の無線ＷＴＲＵが、いくつかのフェーディング状態で１０％以上、あるいはさらに高いブロック誤り率（ＢＬＥＲ）を有することを示している。さらに、容量の最適化のために、Ｐ−ＣＣＰＣＨと同じスロットでＳ−ＣＣＰＣＨを探すことが望ましい場合がある。
【０００５】
ネットワークオペレータによって提供され、Ｓ−ＣＣＰＣＨによって伝えられる特別クラスのサービスは、ＭＢＭＳ（マルチメディア放送サービス）である。無線通信システムでは、ＭＢＭＳは、複数の受信契約者に共通データサービスを効率良く分配するために使用される。
【０００６】
ユーザのグループはネットワークによって送信された同じメッセージの予定受信者であるという点で、ＭＢＭＳは、音声または双方向テレビ会議などの伝統的なポイントツーポイント（ＰｔＰ）サービスとは異なる。したがって、ＰｔＰサービスは一般にユーザ専用の物理チャネルを介して送信されるが、ＭＢＭＳは、複数のＷＴＲＵによって受信されるように共通物理チャネルを介して送信されるのにより適しているという点で、ＭＢＭＳの実現は、ＰｔＰサービスとは異なる。データ転送に関するＭＢＭＳの要件は、最高約１００ｋｂｐｓの範囲で変動するが、最も一般的な要件は、セル当たり約６４ｋｂｐｓのＭＢＭＳの要求、およびセル内のユーザの９０％がＭＢＭＳによってカバーされることを示している。
【０００７】
ＣＤＭＡシステムでのＭＢＭＳの提供に関する基本的な問題は、専用のチャネルが使用されていない限り、ＭＢＭＳを運ぶ物理チャネルを電源制御にかけることは難しいことである。したがって、基地局送信電力は、サービスが提供されるグループ内の基地局から最も離れたところにいるＭＢＭＳのユーザが物理チャネルを確実に受信することができるように設定されなければならない。本質的に、基地局は、Ｎ人のＭＢＭＳユーザのグループ内のあるユーザがセル端にいる可能性をサポートする必要があり、したがって送信電力は、そのユーザの必要性に従って設定される。しかし、ほとんどのユーザにとって、この電力は十分すぎるほどである。このことは、同じセルおよび隣接するセル内の他のユーザへの不均衡な量の干渉を作り出す。
【０００８】
一例として、広帯域Ｗ−ＣＤＭＡ  ＦＤＤの事前調査は、６４ｋｂｉｔ／秒のＭＢＭＳの代表的なＦＤＤセルにおいてＷＴＲＵの９０％を超える受信可能範囲を達成するために、一般に、ＭＢＭＳが物理チャネルを介して送信される状態で、約３０％の基地局電力が必要であることを示している。また、持続可能なデータ転送速度でセル端のＭＢＭＳユーザにサービスを提供することが極めて難しいことに留意されたい。
【０００９】
したがって、こうした大きいリソース（資源）要求を低減することが必要である。このために、ＭＢＭＳチャネルのリンクパフォーマンスを向上させるために、ＭＢＭＳの必要な電力の一部分を低減するいくつかの方式について説明している。これらには、１）より長いインターリーブ（ｉｎｔｅｒｌｅａｖｅ）、すなわちより良い時間ダイバシティ(tｉｍｅ ｄｉｖｅｒｓｉｔｙ)を備える、より長い送信時間間隔（ＴＴＩ）、２）ＭＢＭＳチャネルのための送信ダイバシティ、および３）改良された通信路符号化（ｃｈａｎｎｅｌ ｃｏｄｉｎｇ）がある。こうした技術を使用すると、６４ｋｂｉｔ／秒のＭＢＭＳの例をサポートするのに必要なＦＤＤ基地局の電力の一部分を、３０％から１０〜２０％前後に低減することができる。
【００１０】
ＵＭＴＳ狭帯域ＴＤＤ（ＮＴＤＤ）（１．２８Ｍｃｐｓオプション）の場合、ＭＢＭＳによって作り出された高干渉レベルは、周波数再利用（ｆｒｅｑｕｅｎｃｙ  ｒｅｕｓｅ）を活用することによって物理チャネルタイムスロット（ＴＳ）で緩和することができる。これは、ＮＴＤＤ搬送波当たりの帯域幅がより小さいために、原理的には可能である。例えば、ＦＤＤまたは広帯域ＴＤＤ（ＷＴＤＤ）の５Ｍｈｚのスペクトルの割り当て内で３つの狭帯域搬送波をサポートすることができる。
【００１１】
この方式を使用すると、一部のセルは、ＭＢＭＳを特定のタイムスロットＴＳｎにおいて周波数ｆ１上で送信し、第２のグループをＴＳｎにおいて、ただし周波数ｆ２上で、第３のグループをＴＳｎにおいて、ただし周波数ｆ３上で送信することになる。同じ周波数上で同じＴＳにおいてＭＢＭＳを送信する２つの基地局間の距離がより長くなるため、より空間的な分離が達成され、したがって、ＭＢＭＳ  ＴＳから来る干渉が他のセルに作り出されるのがより少なくなる。しかし、オペレータは、これら３つの周波数を配置エリアで使用可能にする必要がある。送信（Ｔｘ）所要電力を低減する技術は、例えば、より長いＴＴＩ長の使用、ソフトハンドオーバ、およびＴｘダイバシティを含む。
【００１２】
ｕｎｉｖｅｒｓａｌ  ｔｅｒｒｅｓｔｒｉａｌ  ｒａｄｉｏ  ａｃｃｅｓｓ（ＵＴＲＡ）ＦＤＤについての前の説明の結果、Ｓ−ＣＣＰＣＨを介した６４ｋｂｉｔ／秒の基準ＭＢＭＳをサポートするために、基地局ＤＬ  Ｔｘ電力の約１５〜２０％までの低減が示される。
【００１３】
以前のシステムは、５ＭＨｚの帯域幅において３つの低チップレート（ＬＣＲ）搬送波による配置エリアにおけるＲ４ベースのＬＣＲ  ＴＤＤシステムであって、このシステム内のＭＢＭＳを単一のタイムスロット内に含まれるＳ−ＣＣＰＣＨにマッピングし、このタイムスロットの周波数繰り返し数が３であると想定するシステムの実装を開示している。これらの結果は、ＬＣＲ  ＴＤＤが最高６４ｋｂｐｓまでのＭＢＭＳをブロック誤り率＝１０％（ＢＬＥＲ＝１０％）で提供することができること、またはＳ−ＣＣＰＣＨタイムスロット内の全基地局Ｔｘ電力を使用したとき、約１６〜３２ｋｂｐｓをＢＬＥＲ＝１％でサポートすることができることを示している。
【００１４】
さらに、時間域再利用係数（ｔｉｍｅ―ｄｏｍａｉｎ ｒｅｕｓｅ ｆａｃｔｏｒ）３を使用する従来技術の通信システムで、セット１内のセルは、ＴＳｎにおいてそのＭＢＭＳを送信し、セット２内のセルは、ＴＳｎ＋１においてそのＭＢＭＳを送信し、セット３内のセルは、ＴＳｎ＋２においてそのＭＢＭＳを送信する。セット１内のセルは、アップリンク（ＵＬ）およびＤＬの両方の任意の送信にＴＳｎ＋１およびＴＳｎ＋２を使用せず、セット２内のセルは、任意の送信にＴＳｎおよびＴＳｎ＋２を使用しないなど、以下同様に送信が行われる。この方法は、ＭＢＭＳデータブロックの継続時間とは関係なく動作する（すなわちそのＴＴＩから独立している）。この方法によってセル当たりで得られる平均ＭＢＭＳデータ転送速度は１７０ｋｂｐｓ／セルであり、システム内のＭＢＭＳ  ＴＳのタイムスロット効率は、１７０ｋｂｐｓ／３ＴＳ＝５６ｋｂｐｓ／ＴＳである。
【００１５】
図１は、データフレームがＴＳ１〜１５に分割される、上記の従来技術の通信システムによって使用される典型的なデータフレームシーケンスを示している。フレームは繰り返し、ＴＳの割当は、ＴＳがクリアされるか、特に再割当が行われるまでそれ以降のフレームについて同じままである。各タイムスロットには、潜在的に、予め定められた数のフレームが割り当てられている。
【００１６】
図２は、上記の従来技術の通信システムによって使用されるチャネルの割当を示す図である。異なる組内のセルには異なるタイムスロットが割り当てられている。この構成は、ＭＢＭＳブ放送が重複する受信可能範囲のエリアを有する複数のソースから送信されたときに使用される。
【００１７】
例示のために、ＴＳ１内のＷＴＲＵ  Ｍ１に、第１の組（セット１）内のセルに対応するコードが割り当てられている。ＴＳ２内のＷＴＲＵ  Ｍ２には、第２の組（セット２）内のセルに対応するコードが割り当てられ、ＴＳ３内のＷＴＲＵ  Ｍ３には、第３の組（セット３）内のセルに対応するコードが割り当てられている。これは、フレームＡで行われ、割当の１つまたは複数が変更されるまで、それ以降のフレームについて繰り返される。
【００１８】
さらに図２を参照すると、フレームＡ７８内で、セット１セルに、第１の組のタイムスロットＴＳ１が割り当てられている。残りのタイムスロットＴＳ２〜ＴＳｎは、セット１によって使用されない。セット１についての物理チャネルの割当は、Ｓ−ＣＣＰＣＨ全体である。セット２セルには、第２の組のタイムスロットＴＳ２が割り当てられている。残りのタイムスロットＴＳ１およびＴＳ３〜ＴＳｎは、セット２によって使用されない。セット２についての物理チャネルの割当は、Ｓ−ＣＣＰＣＨ全体である。セット３セルには、第３の組のタイムスロットＴＳ３が割り当てられている。残りのタイムスロットＴＳ１〜ＴＳ２、およびＴＳ４〜ＴＳｎは、セット３によって使用されない。セット３についての物理チャネルの割当は、Ｓ−ＣＣＰＣＨ全体である。このパターンは、フレームＢ８０について繰り返され、対応するタイムスロットＴＳ１〜ＴＳ３は、異なる組内のセルに割り当てられる。
【００１９】
上記の従来技術の通信システムの欠点は、タイムスロットＴＳ１、ＴＳ２、およびＴＳ３を他の送信のために使用することができないことであることに留意されたい。したがって、タイムスロットがある組内のセルに使用された場合、そのタイムスロットを別の組内のセルに使用することはできない。時間域再利用パターンを共有することができる１組のＴＤＤセルを有することが望ましいことになる。
【００２０】
無線リソースの適切な適用のために、Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （ＵＴＲＡＮ）は、アクティブなＭＢＭＳユーザの数を追跡する。各セル内で、ＭＢＭＳごとに、アクティブユーザの数を使用して、ＭＢＭＳに適用されたトランスポートリソースおよび物理リソースのタイプ、および各セルにおけるＭＢＭＳを開始し、終了するときを割出しする。
【００２１】
ＭＢＭＳアクティブ化、および受信契約者の移動性（ｍｏｂｉｌｉｔｙ）の結果としてサービスが確立される。ＭＢＭＳユーザを追跡するために想定される機構として、ＭＢＭＳへの「連結（ｊｏｉｎｉｎｇ）」（サービスのアクティブ化）のために、無線資源制御（ＲＰＣ）レイヤ３信号方式（Ｒａｄｉｏ  Ｒｅｓｏｕｒｃｅ  Ｃｏｎｔｒｏｌ  （ＲＲＣ）  ｌａｙｅｒ  ３  ｓｉｇｎａｌｉｎｇ）、受信契約者の位置を維持するためにセル更新手順（ｃｅｌｌ  ｕｐｄａｔｅ  ｐｒｏｃｅｄｕｒｅ）が組み込まれる。これらのツールを使用して、どのユーザがサービスをアクティブ化し、どのセルのサービスを分配する必要があるかを知ることができる。
【００２２】
閉ループ電力制御および送信ダイバシティの適用によって、専用チャネルは、ＭＢＭＳのうちの特定のもののユーザの数が少ないときにより効率的である。ユーザの数が増えたとき、専用チャネルの有効利点は、各データストリームの重複を補償せず、単一のデータストリームを複数の受信契約者に提供する共通チャネルが使用される。この方法は、トランスポート／物理チャネル切り替えとして知られており、ＭＢＭＳ送信中いつでも適用することができる。
【００２３】
共通チャネルが使用されているとき、正常な配信を保証するためにＡＲＱ（Ａｕｔｏｍａｔｉｃ Ｒｅｐｅａｔ Ｒｅｑｕｅｓｔ；自動再送要求）技術を適用することは実用的ではない。したがって、正常な配信の可能性を向上させるために、各ＭＢＭＳ送信が繰り返される。再送信の数は、サービスに適用されるトランスポートリソースおよび物理リソースの予想のＢＬＥＲを考慮に入れる。
【００２４】
より良く正常な配信を保証するために、ＭＢＭＳが数回送信される。再送信の回数は、期待のチャネル品質に関係する。この回数は、期待のサービス品質（ＱｏＳ）を達成するために、最悪の場合のシナリオを考慮に入れる。この１つの例は、受信契約者がセル端にいるときであり、結果として高いＢＬＥＲ（ブロック誤り率）が存在する。受信契約者はしばしば、より良い無線伝搬状態を体験し、再送信が完了する前に正常な配信をうまく達成する。
【発明の開示】
【発明が解決しようとする課題】
【００２５】
要約すると、従来のＭＢＭＳと関連する欠点を克服するために、ＵＭＴＳ  ＷＴＤＤおよびＮＴＤＤをサポートし、ＭＢＭＳを提供する方式において、パフォーマンス強化技術を使用してリソース効率を向上させ、それによって１組のＴＤＤセルが時間域再利用パターンを共有するように構成されることが必要である。特に、ＵＴＲＡＮが信用できる受信を確実にするほど十分な回数の再送信を提供することが望まれていた。
【課題を解決するための手段】
【００２６】
本発明は、１つまたは複数のＷＴＲＵと通信する少なくとも１つのネットワークを含む無線マルチセル通信システムで実装される。この通信システムは、ネットワークからＷＴＲＵへのＭＢＭＳの分配を制御する。
【００２７】
一実装形態で、ＭＢＭＳの分配は、通信システムのセルを１つまたは複数のセルからなる複数の組に構成し、リソースユニットを通信システム内のセルの各組に割り当て、通信システムの各セルにおける割り当てられたリソースユニットをＭＢＭＳ送信に割り当てることによって実施される。ＷＴＲＵは、ＭＢＭＳ送信に割り当てられたリソースユニットに、どのようにアクセスするかを示す情報を受信し、ＷＴＲＵは、通信システムの１つまたは複数のセルからＭＢＭＳを受信する。
【００２８】
上記のプロセスを実施する前に、ＭＢＭＳ要件を通信システムに設定し、ＭＢＭＳに使用可能なリソースユニットを、通信システム内のセルごとに割出しすることができる。このプロセスは、ＭＢＭＳ要件の変更があるとき、またはＭＢＭＳ要件を満たすことができないときに繰り返される。
【００２９】
通信システムは、マルチフレーム割り当てを使用することができるＦＤＤ通信システムとすることができる。繰り返し周期は、通信システム内のすべてのセルに設定することができる。さらに、フレームのサブセットは、セルの各組の繰り返し周期当たりのＭＢＭＳ送信に使用されるように設定することができる。
【００３０】
通信システムは、通信システムにおいてマルチフレーム割り当てを使用すべきかどうかの割出しを行うことができるＴＤＤ通信システムとすることができる。ＴＤＤ通信システムでマルチフレーム割り当てを使用することが割出しされたとき、通信システム内のすべてのセルに繰り返し周期を設定することができる。さらに、フレームのサブセットは、セルの各組の繰り返し周期当たりのＭＢＭＳ送信に使用されるように設定することができる。マルチフレーム割り当てを使用しないことが割出しされたとき、後述の図４で例示するように、異なる組み合わせのタイムスロットがセルの組（セット）ごとに提供され、そのセルの組ごとの各フレーム内において同じ組み合わせのタイムスロットが提供される。
【００３１】
本発明のより詳しい理解は、一例として提供した好ましい実施形態の以下の説明を、添付の図面と併せ読むことによって得られる。
【発明を実施するための最良の形態】
【００３２】
同様の番号が同様の要素を表す図面を参照して本発明を説明する。
【００３３】
本発明はＴＤＤおよびＦＤＤタイプの無線通信システムとの関連で説明しているが、本発明は、ＴＤ−ＳＣＤＭＡおよびＣＤＭＡ２０００を含めて、任意のタイプの無線通信システムで実施することができることに留意することが重要である。
【００３４】
図３は、本発明の一実施形態による、無線マルチセルＴＤＤまたはＦＤＤ通信システムのネットワーク（例えばＵＴＲＡＮ）から１つまたは複数のＷＴＲＵにＭＢＭＳを分配するプロセス３００によって実施されるステップを示すフローチャートである。ステップ３０５で、どんなＭＢＭＳ要件が通信システムに設定されるべきかについての決定が行われる。ＭＢＭＳ要件は、データ転送速度、目標のＢＬＥＲ、ＴＴＩ、および／または最低数のユーザなど、チャネル割り当てパラメータ仕様を定義することができる。
【００３５】
ステップ３１０で、ＭＢＭＳに割り振られる可用性に基づいて、通信システム内のセルごとに必要なリソースユニットが割り出される。ＴＤＤ通信システムでは、リソースユニットは、特定の搬送周波数によって定義される物理チャネル、スクランブルコード、オプションのチャネルコード（ｃｈａｎｎｅｌｉｚａｔｉｏｎ  ｃｏｄｅ）、および１組のフレームを含み得る。ＴＳ２５．２２１によって指定されるように、ＴＤＤでの物理チャネルは、割り当てられた無線フレーム内の特定のタイムスロットで送信されるバースト（ｂｕｒｓｔ）である。割り当ては連続的（すなわち、すべてのフレーム内のタイムスロットが物理チャネルに割り振られる）であっても、不連続（すなわち、すべてのフレームのサブセット内のタイムスロットのみが割り振られる）であってもよい。ＦＤＤ通信システムでは、リソースユニットは、特定の搬送周波数によって定義される物理チャネル、スクランブルコード、オプションのチャネルコード、および所与の期間の開始および停止時間を含み得る。ステップ３１５で、あるレベルのＭＢＭＳを保証するために、セルは、１つまたは複数のセルからなる複数の組（すなわちグループ）に構成される。ステップ３２０で、リソースユニットが通信システム内のセルの各組に割り当てられる。
【００３６】
ステップ３２５で、プロセス３００を実行するためにＦＤＤ通信システムが使用されている場合、ステップ３３５でマルチフレーム割り当てが使用される。プロセス３００を実行するのにＴＤＤ通信システムが選択されると、ステップ３３０で、マルチフレーム割り当てを使用するかどうかの割出しが行われる。マルチフレーム割り当ての使用は、セル間の空間的分離（すなわち距離）を基にすることができる。ＦＤＤ通信システム（ステップ３３５）またはＴＤＤ通信システムのいずれかでマルチフレーム割り当てが使用されると（ステップ３３０のＹＥＳ出力によって示す）、通信システムでの干渉が最低限に押さえられるので、すべてのセルの繰り返し周期を設定し、またフレームのサブセットをセルの各組の繰り返し周期当たりのＭＢＭＳ送信に使用するように設定し、これによってあるサービスレベルのＭＢＭＳが保証される（ステップ３４０）。ＴＤＤ通信システムで、マルチフレーム割り当てを使用しないことが割出しされた場合には、後述の図４で例示するように、各フレーム内の同じ組み合わせのＴＳを使用して、セルの組（セット）ごとに異なる組み合わせのＴＳ（タイムスロット）が提供され、そのセルの組ごとの各フレーム内において同じ組み合わせのタイムスロットが提供される。（ステップ３４５）。ステップ３３０の決定は、単独で、または前のステップ３０５、３１０、３１５、３２０のいずれか１つとともに実施することができることを理解されたい。
【００３７】
ステップ３５０で、通信システムの各セルに内の割り当てられたリソースユニットをＭＢＭＳ送信に割り当てる。ステップ３５５で、ＷＴＲＵは、ＭＢＭＳ送信に割り当てられたリソースユニットにどのようにアクセスするかを示す情報を受信する。ステップ３６０で、ＷＴＲＵは、１つまたは複数のセルからＭＢＭＳを受信する。ステップ３６５で、ステップ３０５で割出しされたＭＢＭＳ要件が変更されておらず、依然として満たされているかどうかに関する判定が行われる。ＭＢＭＳ要件が変更されておらず、依然として満たされている場合、プロセス３００は、ステップ３６０に戻り、ＷＴＲＵは引き続きＭＢＭＳを受信する。ＭＢＭＳ要件が変更されている場合、または満たすことができない場合には、プロセス３００はプロセス３００の先頭のステップ３０５に戻り、これにより新しいＭＢＭＳ要件を設定することができる。
【００３８】
本発明によれば、タイムスロット管理を利用してセル間の干渉を低減し、それによってタイムスロットが特定のフレームに割り当てられ、そのフレームは有利にセルに割り当てられる。タイムスロット管理は、１群のセル内の各セルの組が最適な電力を維持することを許容する。ＴＤＤでは、タイムスロット管理は、ＤＬ信号を受信するＷＴＲＵがこれらのタイムスロットにおいて他のセルから最低限となる干渉を体験することを保証する。ＷＴＲＵは、これらのチャネル上で受信されたＤＬデータを正常にデコードして、再送信の必要性を最低限に抑え、セルエリアにおけるこれらのチャネルでの高データ転送速度の受信可能範囲を保証することができる。これは、セルの組がグループに分割され、セルの各組が一意の組のタイムスロット割当を有するように、チャネル割当およびタイムスロットをＷＴＲＵに割り当てることによって達成される。
【００３９】
本発明は、ＭＢＭＳサービスをサポートする複数のセルを有する無線通信システムにおいて、時間域再利用パターンを実施する。受信品質を向上させるための時間域再利用および周波数再利用の効果は同じである。本発明によれば、時間域再利用パターンは、ＴＤＤ配置エリアの一部のセルが他のセルによって使用されていないままの一部のタイムスロットで、それらのＭＢＭＳサービスを確実に送信するようにする。
【００４０】
本発明のＴＤＤの態様は、それによって運ばれる特定のコンテンツ（ＭＢＭＳなど）とは関係なく、従来のＳ−ＣＣＰＣＨまたはＵＭＴＳ  ＴＤＤ  Ｒ９９（３．８４Ｍｃｐｓおよび１．２８Ｍｃｐｓのオプション）やそれを超えるＤＬ共有チャネルの場合に適用されが、ＭＢＭＳの信用できるサービスが非常に重要な特別な問題として見なされる。ＭＢＭＳ無しでさえ、本発明の技術は、セル端で達成可能なデータ転送速度および受信可能範囲を向上させる。方法の適用が任意の形式のＤＬ共通チャネル（ＤＬ共有チャネルなど）を介して送信される任意の種類のサービスまで拡大されるとしても、一般性を失わずに、ＭＢＭＳがＳ−ＣＣＰＣＨを介して送信される場合が考えられる。Ｒ５は、ＦＤＤおよびＴＤＤの場合の別のタイプのＤＬ共通チャネル、すなわちＨＳ−ＤＳＣＨを導入する。
【００４１】
発明のチャネル割当技術を実施する効果は、ＷＴＤＤシミュレーションから導出された結果によって実証することができる。ＤＬでのＷＴＲＵ当たり約２Ｍｂｐｓのデータ転送速度は、１６個のＳＦ＝１６の拡散符号でそれぞれ満たされる１２個のＤＬタイムスロット内でデータをそれに送信することによって達成することができる。したがって、単一のタイムスロットは、１６個のＳＦ＝１６のすべての拡散符号を使用すると、すべてのフレームを送信した場合、約１７０ｋｂｐｓのデータ転送速度をもたらす。次のすべての例では、簡単にするために、フレーム当たり１つの全タイムスロットがＳ−ＣＣＰＣＨに割り当てられる、すなわちＭＢＭＳに割り当てられると仮定する。また、スロット当たり１７０ｋｂｐｓと仮定する。
【００４２】
本発明によれば、タイムスロットは、重複する受信可能範囲内でＭＢＭＳブ放送および他のブ放送をブ放送するときに起こり得る干渉を低減するように割り当てられる。タイムスロットは、セル内のＭＢＭＳの要件に従って再利用される。これは、ＭＢＭＳデータブロックの期間に関わらず行われ、ＴＴＩに依存しない。
【００４３】
本発明によれば、同じＴＳがすべてのセルによって使用された場合、マルチフレーム割り当ておよびＴＴＩの使用をうまく活用することができる。セルの組の予め定められた各グループ内の各組のセルに一意の組のＳ−ＣＣＰＣＨが割り当てられる。
【００４４】
本発明によれば、繰り返し周期に従ってタイムスロットの考え得る組み合わせが再利用される。これは、時間域再利用パターンを設定する。同じＴＳがすべてのセルによって使用される場合、マルチフレーム割り当ておよびＴＴＩの使用をうまく活用することができる。ＭＢＭＳデータブロック当たりＴＴＩ＝２０ｍｓ（２フレーム）では、セル当たりのＳ−ＣＣＰＣＨを８０ｍｓ（８フレーム）の繰り返し周期で割り当てることができる。
【００４５】
第１の組のセルは、フレームｍおよびｍ＋１の所与のタイムスロットｎにおいてそのＭＢＭＳを送信し、フレームｍ＋２・・・ｍ＋７内のタイムスロットｎでは何も送信しない。第２の組のセルは、フレームｍ＋２、ｍ＋３内ではあるが同じタイムスロットｎにおいてそのＭＢＭＳを送信するが、ｍ、ｍ＋１、およびｍ＋４・・・ｍ＋７内のタイムスロットｎでは何も送信しない。第３の組のセルは、ｍ＋４およびｍ＋５内ではあるが同じタイムスロットｎにおいてそのＭＢＭＳを送信するが、フレームｍ・・・ｍ＋３、およびｍ＋６・・・ｍ＋７内のタイムスロットｎでは何も送信しない。最後に、第４の組のセルは、フレームｍ＋６およびｍ＋７内の依然として同じタイムスロットｎにおいてそのＭＢＭＳを送信するが、フレームｍ・・・ｍ＋５では何も送信しない。
【００４６】
この方法によってセル当たりで得られる平均ＭＢＭＳデータ転送速度は、１７０ｋｂｐｓ／４＝４２ｋｂｐｓ／セルであり、システム内のＭＢＭＳ  ＴＳの効率は、１７０ｋｂｐｓ／１ＴＳ＝１７０ｋｂｐｓ／ＴＳである。システムは、有効な時間域再利用係数４を体験し、事実上ＭＢＭＳ  ＴＳの干渉は体験しない。以下の表１で、「ｎ」は、「１つのセルが、このフレーム内のタイムスロットｎでＭＢＭＳを運ぶＳ−ＣＣＰＣＨを送信する」を意味する。「ｎ」は、セルがこのフレームのこのタイムスロットｎで何も送信しないことを意味するのではない。
【００４７】
【表１】
0004500691.tif 000002
【００４８】
このプロセスは、１つのＭＢＭＳ  ＴＳ、ＴＴＩ＝１０ｍｓでの繰り返し周期４０ｍｓ、または１つのＭＢＭＳ  ＴＳ、繰り返し周期１６０ｍｓおよびＴＴＩ＝４０ｍｓなど他の考え得る組み合わせにまとめられる。
【００４９】
時間域再利用係数３は、従来技術の通信システムで頻繁に使用されており、かなり魅力的な選択肢であり得ることに留意されたい。これは、この概念で、ＴＴＩ＝２０ｍｓでの繰り返し周期６０ｍｓを使用することによって達成可能である。物理層の見地から、これは簡単なバリエーションである。現在、１０、２０、４０、８０、１６０、３２０、および６４０ｍｓの標準化された繰り返し周期のみをサポートする上位層プロトコルへの軽微な変更がある。この時間域再利用パターンは、潜在的に、１７０ｋｂｐｓ／３＝５６ｋｂｐｓ／セルのセル当たりの平均ＭＢＭＳデータ転送速度をもたらす。このプロセスでＭＢＭＳに対応するには、「空きの」ＴＳが１つだけ必要である。
【００５０】
本発明によれば、１７０／２＝８５ｋｂｐｓの可能性で、２の時間域再利用が達成される。すべてのセルによって同じ単一のＴＳがＭＢＭＳに使用される場合、４０ｍｓの繰り返し周期で、しかし変化するセルの組当たりのＴＴＩでは、マルチフレーム割り当ておよびＴＴＩの使用をうまく活用することができる。以下の表２で、「ｎ」は、１つのセルの組が、このフレーム内のタイムスロットｎでＭＢＭＳを運ぶＳ−ＣＣＰＣＨを送信することを意味する。「ｎ」は、セルの組がこのフレームのこのタイムスロットｎで何も送信しないことを意味するのではない。
【００５１】
【表２】
0004500691.tif 000003
【００５２】
セット１〜４内のセルは、ＴＴＩ＝２０ｍｓ（マルチフレーム割り当てを行うときに「オフセット」パラメータを使用する手段によって達成される）を可能にすることに留意されたい。セット５および６内のセルは、２つの連続するスロットでの送信をサポートしない。その結果、セット５および６内のセルに、時間分離されたＴＳが割り当てられる。セルの各組は、任意の特定の他の組からのセル間の干渉がない少なくとも１つのスロットを有することがわかる。さらに、３つの対は、セル間の干渉無しに互いに動作することができる。
【００５３】
（１）セット１およびセット２
（２）セット３およびセット４
（３）セット５およびセット６
順方向誤り訂正（ＦＥＣ）での冗長性を利用すると、ほとんどの領域上で正常な動作が可能であると同時に、最高８５ｋｂｐｓをサポートし、フレーム当たり１つのスロットだけでよい。
【００５４】
ノードＢの同期は、タイムスロットの部分的な使用を割り当てることによって処理される。このように、同期バーストを使用して、ノードＢの同期をサポートすることが可能である。この手法は、元々、干渉レベルが信用できる検出を妨げるという問題のため、従来技術の方法を使用することによって却下されていた。しかし、本発明を使用すると、セルが送信していないスロット中に近接セルの同期バーストをセルが聞くことがはるかに実行可能になった。
【００５５】
図４は、本発明によるＴＤＤ通信システムで使用されるチャネル割当を示す図である。図４は、マルチフレーム割り当てを使用しないことが割出しされた場合における、セルに割り当てられた異なるＴＳおよびフレームの組み合わせを使用して時間域再利用を実施する一例を示している。この変更された技術は、割当を重複させることができる。セルの組の予め定められた各グループ内の各組内のセルに一意の組のＳ−ＣＣＰＣＨが割り当てられる。しかし、図２とは異なり、本発明は、Ｓ−ＣＣＰＣＨの組の間の重複を示す。
【００５６】
図４に示すように、セット１のセルには、各フレームにおいて第１の組のタイムスロットＴＳ１、ＴＳ２が割り当てられている。残りのタイムスロットＴＳ３〜ＴＳｎは、セット１によって使用されない。セット１についての物理チャネルの割当は、Ｓ−ＣＣＰＣＨ全体である。セット２のセルには、各フレームにおいて第２の組のタイムスロットＴＳ３、ＴＳ４が割り当てられている。残りのタイムスロットＴＳ１〜ＴＳ２、およびＴＳ５〜ＴＳｎは、セット２によって使用されない。セット２についての物理チャネルの割当は、Ｓ−ＣＣＰＣＨ全体である。セット３のセルには、各フレームにおいて第３の組のタイムスロットＴＳ２、ＴＳ３が割り当てられている。残りのタイムスロットＴＳ１、およびＴＳ４〜ＴＳｎは、セット３によって使用されない。セット３についての物理チャネルの割当は、Ｓ−ＣＣＰＣＨ全体である。セット３に割り当てられたタイムスロットは、セット１およびセット２に割り当てられたタイムスロットと重複する。
【００５７】
さらに図４を参照すると、セット４、５、および６の導入は、タイムスロットの重複、および所与のフレーム内のタイムスロットの時間分離を示す。セット４のセルには、各フレームにおいて第４の組のタイムスロットＴＳ１、ＴＳ４が割り当てられている。残りのタイムスロットＴＳ２〜ＴＳ３、およびＴＳ５〜ＴＳｎは、セット４によって使用されない。セット４についての物理チャネルの割当は、Ｓ−ＣＣＰＣＨ全体である。セット５のセルには、各フレームにおいて第５の組のタイムスロットＴＳ１、ＴＳ３が割り当てられている。残りのタイムスロットＴＳ１、およびＴＳ４〜ＴＳｎは、セット５によって使用されない。セット５についての物理チャネルの割当は、Ｓ−ＣＣＰＣＨ全体である。セット６のセルには、各フレームにおいて第６の組のタイムスロットＴＳ２、ＴＳ４が割り当てられている。残りのタイムスロットＴＳ１、ＴＳ３、およびＴＳ５〜ＴＳｎは、セット６によって使用されない。セット６についての物理チャネルの割当は、Ｓ−ＣＣＰＣＨ全体である。１つまたは複数の組のタイムスロットは、他の組からのタイムスロットと重複する。例えば、セット１に割り当てられたタイムスロットＴＳ１は、セット４に割り当てられたタイムスロットＴＳ１、およびセット５に割り当てられたＴＳ１と重複する。同様に、セット１に割り当てられたタイムスロットＴＳ２は、セット３に割り当てられたタイムスロットＴＳ２、およびセット６に割り当てられたタイムスロットＴＳ２と重複する。任意の２つの組のセル間のタイムスロットと重複する同じ組はないため、セルの各組は、それに割り当てられたタイムスロットのそれ自体の一意の組み合わせを有する。
【００５８】
タイムスロット中、通信は、複数の組のセルに割り当てられたタイムスロットおよびフレームとの重複が許容される。組み合わせは、任意の２つの組のセル間でタイムスロットまたはフレームが重複する同じ組がないようにしてあり、各組のセルに、それ自体の一意のタイムスロットおよびフレームの組み合わせが割り当てられた形で与えられる。
【００５９】
図５は、ＦＤＤシステムで時間域再利用を実施する一例を示しており、図４に示すＴＤＤシステムのマルチフレーム割り当てをＦＤＤに拡張することができる。図５は、セルの組の予め定められたグループ内の各組のセルが同じＳ−ＣＣＰＣＨを使用するフレームの割り当てを示す時間領域チャートである。図４に示すチャネルの割当は、セルの組ごとに特定のフレームに限定される。しかし、組ごとのＳ−ＣＣＰＣＨが共有のフレームを使用する。この割当は、セルのすべての組に適用されるが、セルの組の予め定められたグループ内の各組のセルに一意の組のＳ−ＣＣＰＣＨが割り当てられる。この変更された技術は、フレームの割当を重複させることができる。これによって、セルの組の予め定められたグループ内の各組のセルに一意の組のＳ−ＣＣＰＣＨが割り当てられ、Ｓ−ＣＣＰＣＨの組間の重複がある。
【００６０】
図５を参照すると、セット１のセルには、フレーム１０１および１０２に対応する第１の組のフレームが割り当てられている。残りのフレーム１０３Ａおよび１０３Ｂは、セット１によって使用されない。セット１についての物理チャネルの割当１０５は、Ｓ−ＣＣＰＣＨ全体である。セット２のセルには、フレーム１１１および１１２に対応する第２の組のフレームが割り当てられている。残りのフレーム１１３Ａおよび１１３Ｂは、セット２によって使用されない。セット２についての物理チャネルの割当１１５は、Ｓ−ＣＣＰＣＨ全体である。セット３のセルには、フレーム１２１および１２２に対応する第３の組のフレームが割り当てられている。残りのフレーム１２３Ａおよび１２３Ｂは、セット３によって使用されない。セット３についての物理チャネルの割当１２５は、Ｓ−ＣＣＰＣＨ全体である。
【００６１】
さらに図５を参照すると、セット４、５、および６を導入することによって、割当の重複がもたらされる。図５でわかるように、セット４のセルには、フレーム１３１および１３２に対応する第４の組のフレームが割り当てられている。残りのフレーム１３３Ａおよび１３３Ｂは、セット４によって使用されない。セット４についての物理チャネルの割当１３５は、Ｓ−ＣＣＰＣＨ全体である。セット５のセルには、フレーム１４１および１４２に対応する第５の組のフレームが割り当てられている。残りのフレーム１４３Ａおよび１４３Ｂは、セット５によって使用されない。セット５についての物理チャネルの割当１４５は、Ｓ−ＣＣＰＣＨ全体である。セット６のセルには、フレーム１５１および１５２に対応する第６の組のフレームが割り当てられている。残りのフレーム１５３Ａおよび１５３Ｂは、セット６によって使用されない。セット６についての物理チャネルの割当１５５は、Ｓ−ＣＣＰＧＨ全体である。
【００６２】
フレーム中、通信は、複数の組のセルに割り当てられたフレームとの重複が許容される。組み合わせは、任意の２つの組のセル間でフレームが重複する同じ組がないようにしてあり、各組のセルに、それ自体の一意のフレームの組み合わせが割り当てられた形で与えられる。
【００６３】
図５を参照すると、セット１〜４のセルのＦＤＤチャネル割当は、ＴＴＩ＝２０ｍｓ（正しいＳＦＮでＳ−ＣＣＰＣＨを設定することによって達成される）を可能にする。ＦＤＤは一般に、非同期のセル動作を可能にし、非同期のセル動作の使用によって、本発明のチャネルの時間上の割当が扱いやすくなる。セット５および６内のセルは、ＴＴＩ＝１０ｍｓを使用する必要がある。
【００６４】
本発明によれば、時間域再利用係数は、ＦＤＤ送信の場合に提供される。時間域再利用係数は、ＤＬ共通チャネルの場合に導入され、Ｓ−ＣＣＰＣＨまたはＤＬ共有チャネルを介したＭＢＭＳなど、共有送信の場合の特別な意味がある。原理は、ＴＤＤの時間領域の使用と類似しているが、ＴＤＤなどでのフレーム当たりの特定のＴＳではなく特定のフレームでの連続的な送信と類似している。
【００６５】
ＦＤＤでは、特定のフレームにおいてＳ−ＣＣＰＣＨまたはダウンリンク共有チャネル（ＤＬ  ＤＳＣＨ）の連続的な送信がＴＤＤなどでのフレーム当たりの特定のＴＳよりも必要とされるため、従来のプロセス（ＴＤＤの従来技術に等しい）の簡単な拡張は可能ではない。
【００６６】
ＴＤＤなどでのマルチフレーム割り当ての均等物がＦＤＤ用には存在していなくても、これは、チャネルを連続的に、すなわちすべてのフレームを割り当てるが、基地局が望まない場合はそれをある特定のフレームに送信しないことによって達成することができる。Ｓ−ＣＣＰＣＨは、パイロットビットを含む必要がない。というのは、Ｐ−ＣＣＰＣＨは、通常位相基準と見なされ、データが存在しないときＴＦＣＩなど他の制御ビットは送信する必要がないからである。したがって、これらの休止期間には何も不必要に送信されない。Ｐ−ＣＣＰＣＨチャネル割当に関連する異なるチャネル割当の使用は、ＦＤＤに使用されるＴＤＤ技術の均等物を提供する。
【００６７】
本発明は、３ＧＰＰ  Ｗ−ＣＤＭＡ通信システムに従って、正規の高速ダウンリンクパケットアクセス（ＨＳＤＰＡ）送信を使用して、音声およびデータとともに使用することができる。３ＧＰＰシステムは、一例として使用されているにすぎず、本発明は、他のコード分割多重アクセス通信システムに適用することができる。また、本発明のＦＤＤ部分は、特定のコンテンツとは関係なく、従来のＳ−ＣＣＰＣＨまたはＵＭＴＳ  ＦＤＤ  Ｒ９９以上のＤＬ共有チャネル（例えばＲ５でのＨＳ−ＤＳＣＨなど）の場合に適用されることにも留意されたい。
【００６８】
本発明によれば、ＭＢＭＳに割り当てられている物理リソースおよびトランスポートリソースを効率良く開放するために、受信契約者がいつサービスを終了するか、またはいつサービスを正常に受信したかを知る必要がある。説明的なＭＢＭＳ非アクティブ化メッセージの受信契約者の生成を、ＭＢＭＳ送信を低減するために使用することができる。これは、Ｌ３  ＲＲＣ手順またはＮＡＳ信号方式手順とすることができる。非アクティブ化メッセージを受信すると、受信契約者のＭＢＭＳコンテキストは、特定のＭＢＭＳに関連付けられている現在アクティブな受信契約者から取り除かれる。
【００６９】
図６を参照すると、特定のＭＢＭＳに必要な再送信の回数を制御するために、ＵＴＲＡＮ６１０と通信する複数のＷＴＲＵ６０５を含む無線マルチセル通信システム６００においてアクティブ／非アクティブ方法が使用されている。
【００７０】
通信システム６００のチャネルをより良いパフォーマンスのために再構成することができるように、非アクティブ化をトランスポート切り替えに使用して、ＭＢＭＳを受信している現在のユーザ（ＷＴＲＵ）数を割出しする。さらに、再送信の回数を低減することができる。
【００７１】
一実施形態で、通信システム６００のセルのうちの特定の１つで動作する図６のＷＴＲＵ６０５が、ＭＢＭＳをアクティブにする。ＵＴＲＡＮ６１０は、ＭＢＭＳをアクティブにした特定のセルで動作するＷＴＲＵ６０５の数を割出しする。ＵＴＲＡＮ６１０は、ＷＴＲＵ６０５の割出しされた数に基づいてリソースを特定のセルに割り当てる。ＵＴＲＡＮ６１０は、割り当てられたリソースを使用して、ＭＢＭＳをＷＴＲＵ６０５に分配する。ＷＴＲＵ６０５のすべてがＭＢＭＳを非アクティブにすると、ＵＴＲＡＮ６１０が、ＷＴＲＵ６０５でＭＢＭＳを終了し、ＵＴＲＡＮ６１０のリソースを割り当てし直す。
【００７２】
アクティブな受信契約者の数に基づいて、ＵＴＲＡＮ６１０が、最大無線リソース効率を達成するようにトランスポートチャネルおよび物理チャネルを構成する。ＭＢＭＳ非アクティブ化信号メッセージは、ユーザが予約申し込みしたサービスごとに受信契約者数を低減する説明的な指示として使用される。特定のサービスの受信契約者の数が予め定められた限界に到達すると、トランスポート／物理チャネル切り替えが行われる。すべての受信契約者が非アクティブになると、ＭＢＭＳ送信は、そのセルで終了する。
【００７３】
ステップ６１５で、受信契約者が、各自のＷＴＲＵ６０５でＵＴＲＡＮ６１０に信号を送ることによって、ＭＢＭＳをアクティブにする。ＭＢＭＳは、ＵＴＲＡＮ６１０によってＷＴＲＵ６０５に分配される（ステップ６２０）。受信契約者は、こうしたＭＢＭＳについてのアクティブなユーザから取り除かれるため（ステップ６２５、６３５）、ＵＴＲＡＮ６１０は、結果としてＭＢＭＳトランスポート／物理チャネル切り替えを呼び出す（ステップ６３０）か、そのセル内のサービスの分配を停止する（ステップ６４０）。
【００７４】
図７を参照すると、既存のセル更新手順を使用して、ＭＢＭＳ送信のアクティブ化および非アクティブ化を行うこともできる。受信契約者の移動度（ｍｏｂｉｌｉｔｙ）の追跡に使用されるセル更新手順は、定期的な更新のために設定することもできる。受信契約者のＭＢＭＳがアクティブになった（ステップ７００）後、アクティブなＭＢＭＳユーザはわかっているので、セル更新手順を定期的に実施して、ユーザがいつ新しいセルに移動したか、またはＵＴＲＡＮ６１０によっていつ連絡不可能になったかを割出し（ステップ７０５）し、それによりＭＢＭＳをＷＴＲＵ６０５に分配することができる（ステップ７１０）ようにする。セル更新手順がＷＴＲＵ６０５は新しいセルに移動したこと、または受信契約者についての定期的な更新がもはやＵＴＲＡＮによって受信されていないことを示すとき（ステップ７１５）、受信契約者のＭＢＭＳコンテキストは、そのセル内の特定のＭＢＭＳに関連付けられている現在アクティブな受信契約者から取り除かれ、したがってＭＢＭＳ送信が終了させられる（ステップ７２０）。
【００７５】
一実施形態で、図７のＷＴＲＵ６０５のうちの少なくとも１つがＭＢＭＳをアクティブにする。ＷＴＲＵ６０５は、定期的な更新をネットワークに提供し、ＷＴＲＵ６０５が動作している通信システムのセルの第１のものを示す。ＵＴＲＡＮ６１０は、ＭＢＭＳをＷＴＲＵ６０５に分配する。ＵＴＲＡＮ６１０は、ＷＴＲＵ６０５が定期的な更新を提供することをやめるか、第１のセルとは異なる通信システムのセル内で動作するとき、ＷＴＲＵ６０５でＭＢＭＳを終了する。
【００７６】
図８は、ＵＴＲＡＮ８１０およびコアネットワーク（ＣＮ）８１５と通信する複数のＷＴＲＵ８０５を含む無線通信システム８００を示す。システム８００は、オプションの配信確認をともなうＭＢＭＳ通知を提供する（ステップ８２０）。ＭＢＭＳがＷＴＲＵ８０５に分配された後（ステップ８２５）、ＷＴＲＵ８０５によってＵＴＲＡＮ８１０に報告された別のＭＢＭＳ配信確認（ステップ８３０）を、請求書発送の目的（ｂｉｌｌｉｎｇ ｐｕｒｐｏｓｅ）で（ステップ８３５）ＣＮ８１５に伝えることができる。信号方式は、ＵＴＲＡＮ８１０が確認メッセージをＷＴＲＵ８０５に転送する、ＵＴＲＡＮ８１０による新しいメッセージの生成、またはＷＴＲＵ８０５からＣＮ８１５への直接のＮｏｎ−Ａｃｃｅｓｓ  Ｓｔｒａｔｕｍ  Ｎｏｄｅ  Ｂ  Ａｐｐｌｉｃａｔｉｏｎ  Ｐａｒｔ（ＮＡＳ）信号方式によって達成することができる。ＣＮ８１５によって受信されると、ＭＢＭＳの配信は、ＷＴＲＵ８０５ごとに記録される。確認メッセージは、Ｌ３無線リソース制御（ＲＲＣ）またはＮＡＳ信号メッセージとすることができる。ＵＴＲＡＮ８１０は、こうしたＭＢＭＳのアクティブ化された受信契約者ごとに確認を追跡することができる。すべてのまたは予め定められた割合のアクティブな受信契約者が配信を確認すると、再送信を終了することができる（ステップ８４０）。最大再送信数を、特定のＭＢＭＳの無線リソースの使用を限定するように構成することもできる。
【００７７】
一実施形態で、図８のＵＴＲＡＮ８１０は、複数のＭＢＭＳデータ送信を送信することによって、ＭＢＭＳをＷＴＲＵ８０５のうちの少なくとも１つに分配する。ＷＴＲＵ８０５は、すべてのＭＢＭＳデータ送信が受信されたことをＵＴＲＡＮ８１０に知らせる。次いでＵＴＲＡＮ８１０は、ＭＢＭＳデータ送信を終了する。
【００７８】
サービス確認は、常に正当化されるとは限らない。例えば、一部のサービスには、送信当たり非常に少ないデータしかないかもしれない。したがって、再送信のコストが非常に少ない。この追加の最適化を許容する１つの選択肢は、アクティブ化の手順中にどのサービスが送信確認を受信するかを特定することである。
【００７９】
再送信を低減してＭＢＭＳの正常な配信を達成する別途の方法は、各送信から個々のデータセグメントを受信し、格納し、次いで、ＭＢＭＳサービス送信が完了するまで、各再送信からのこれらのブロックを一体化することである。ＭＢＭＳ送信は、正常配信の認証に使用される１つまたは複数の巡回冗長検査（ＣＲＣ）をそれぞれ含むいくつかのデータセグメントを含む。
【００８０】
ＭＢＭＳのセグメント化は、図９に示す無線通信システム９００によって実施される。システム９００は、ＵＴＲＡＮ９１０と通信する少なくとも１つのＷＴＲＵ９０５を含む。ＭＢＭＳ送信を受信すると（ステップ９１５）、ＷＴＲＵ９０５は、正常に受信されたすべてのデータセグメントを格納する（ステップ９２０、９２５）。ＷＴＲＵ９０５は、ＭＢＭＳ情報を使用して、送信全体を受信するのではなく、前の送信で正常に受信されなかったデータセグメント（例えばセグメント２）のみの受信（ステップ９３０）をスケジュールする。これにより、ＷＴＲＵ処理および電力消費量が低減される。さらに、正常な配信に必要な送信の回数が低減される。というのは、ＭＢＭＳ送信全体の受信をスケジュールするのではなく、正常に受信されなかったセグメントの受信をスケジュールするだけでよいからである。このＭＢＭＳのセグメント化は、受信契約者によるオプションのＭＢＭＳ配信確認メッセージ（ステップ９３５）に関係なく、またはその生成により、ＭＢＭＳ再送信の数を低減する、またはＭＢＭＳ再送信を終了することができる。
【００８１】
一実施形態で、図９のＵＴＲＡＮ９１０は、ＭＢＭＳを複数の個々のデータセグメントにセグメント化し、ＭＢＭＳデータセグメントのそれぞれをＷＴＲＵ９０５に送信する。ＷＴＲＵ９０５は、メモリ（図示せず）にＷＴＲＵ９０５によって適切に受信された各ＭＢＭＳデータセグメントを格納する。ＷＴＲＵ９０５は、ＷＴＲＵ９０５によって適切に受信されなかった少なくとも１つのＭＢＭＳデータセグメントを識別してＵＴＲＡＮ９１０に知らせる。ＵＴＲＡＮ９１０は、識別されたＭＢＭＳデータセグメントのみをＷＴＲＵ９０５に再送信する。
【００８２】
ＭＢＭＳデータセグメントを送信する前に、ＵＴＲＡＮ９１０は、ＷＴＲＵ９０５に、ＭＢＭＳデータセグメントのそれぞれがＷＴＲＵ９０５にいつ送信されるか、およびいくつのデータセグメントをＭＢＭＳが含んでいるかを知らせる。各ＭＢＭＳデータセグメントは、ＷＴＲＵ９０５によるＭＢＭＳデータセグメントの正常配信の認証に使用する少なくとも１つの巡回冗長検査（ＣＲＣ）を含み得る。ＵＴＲＡＮ９１０のオペレータは、ＷＴＲＵ９０５が請求書発送を容易にするようにＭＢＭＳのデータセグメントのすべてを受信したかどうかを割出しすることができる。
【００８３】
別の実施形態では、ＵＴＲＡＮ９１０は、ＭＢＭＳを、様々なときにＷＴＲＵ９０５に送信されるようにスケジュールされた複数の個々のＭＢＭＳデータセグメントにセグメント化する。ＵＴＲＡＮ９１０は、様々なスケジュール時間およびいくつのデータセグメントをＭＢＭＳが含むかをＷＴＲＵ９０５に知らせる。ＵＴＲＡＮ９１０は、様々なスケジュール時間にＭＢＭＳデータセグメントをＷＴＲＵ９０５に送信する。ＷＴＲＵ９０５は、様々なスケジュール時間にそこの受信者（図示せず）をアクティブにして、ＵＴＲＡＮ９１０によって送信されたＭＢＭＳデータセグメントを受信する。ＷＴＲＵ９０５は、ＷＴＲＵ９０５によって適切に受信されなかった少なくとも１つのＭＢＭＳデータセグメントを識別してＵＴＲＡＮ９１０に知らせる。ＵＴＲＡＮ９１０は、識別されたデータセグメントがＷＴＲＵ９０５に再送信される割り当てられた時間をＷＴＲＵ９０５に知らせる。ＵＴＲＡＮ９１０は、識別されたＭＢＭＳデータセグメントのみをＷＴＲＵに再送信する。ＷＴＲＵ９０５は、割り当てられた時間にそこの受信者をアクティブにして、再送信されたＭＢＭＳデータセグメントを受信する。
【００８４】
好ましい実施形態を参照して本発明を特に示し、説明してきたが、上記の本発明の特許請求の範囲から逸脱することなく、形態および詳細に様々な変更を加えることができることを当業者は理解されよう。
【図面の簡単な説明】
【００８５】
【図１】１つのフレームが１５個のタイムスロットを保持する従来技術の通信システムで使用される典型的なデータフレームシーケンスを示す図である。
【図２】一意のタイムスロットが異なる組のセルに適用される従来技術の通信システムで使用されるチャネル割当を示す図である。
【図３】本発明の一実施形態によるＴＤＤまたはＦＤＤ無線マルチセル通信システム内のセルへのＭＢＭＳサービスの割り当てを示すフローチャートである。
【図４】本発明による、異なる組のセルがタイムスロットを他の組のセルと共有するが、タイムスロットの一意の組み合わせが異なる組のセルに適用されるＴＤＤ通信システムにおいて時間域再利用を実施する例を示す図である。
【図５】本発明による重複する割当が使用されるＦＤＤシステムにおいて時間域再利用を実施する例を示す図である。
【図６】本発明の一実施形態によるトランスポート／物理チャネル切り替えおよびサービスの終了を制御するためにＭＢＭＳサービスの非アクティブ化を実施する通信システム（ＴＤＤまたはＦＤＤ）を示すブロック図である。
【図７】本発明の一実施形態によるＭＢＭＳサービス送信を制御するためにセル更新手順を実施する通信システム（ＴＤＤまたはＦＤＤ）を示すブロック図である。
【図８】本発明の一実施形態によるＭＢＭＳ送信を低減するために配信確認を実施する通信システムを示すブロック図である。
【図９】本発明の一実施形態によるＭＢＭＳセグメント化を実施するシステムを示すブロック図である。
【図１】
0004500691.tif 000004
【図２】
0004500691.tif 000005
【図３】
0004500691.tif 000006
【図４】
0004500691.tif 000007
【図５】
0004500691.tif 000008
【図６】
0004500691.tif 000009
【図７】
0004500691.tif 000010
【図８】
0004500691.tif 000011
【図９】
0004500691.tif 000012